(57)【要約】【課題】需要者の目を引く包装物品を提供すること。【解決手段】包装物品は直方体の包装箱１である。この包装箱１は、第１面としての第１側面１３と、第２面としての第４側面１６と、表示要素としての写真３と、を有する。第１側面１３は、包装箱１の正面に相当する。第４側面１６は、第１側面１３と隣接する。第４側面は、第１側面１３と突出角１７を形成する。写真３は、突出角１７を跨いで、第１側面１３と第４側面１６の両面に分けて表示される。【選択図】図１
2019182469.tif 000002
【特許請求の範囲】
【請求項１】
第１面と、
前記第１面と隣接し、前記第１面と突出角を形成する第２面と、
前記突出角を跨いで、前記第１面と前記第２面の両面に分けて表示される一つの表示要素と、
を有することを特徴とする包装物品。
【請求項２】
請求項１に記載された包装物品において、
前記第１面と前記第２面は、一枚のシートを折り曲げることにより形成され、
前記突出角は、前記シートを折り曲げたときの折れ線である
ことを特徴とする包装物品。
【請求項３】
請求項１又は請求項２に記載された包装物品において、
前記包装物品は、直方体の包装箱であり、
前記第１面を正面とし、前記第２面を側面とするとき、
前記表示要素の幅の長さは、前記第２面よりも前記第１面の方が長く設定される
ことを特徴とする包装物品。
【請求項４】
請求項３に記載された包装物品において、
前記突出角と交差する前記第１面の第１辺の長さは、前記突出角と交差する前記第２面の第２辺の長さよりも長く設定される
ことを特徴とする包装物品。
【請求項５】
請求項３又は請求項４に記載された包装物品において、
複数の前記包装箱が店頭に陳列される際、前記包装箱の前記突出角と角番地の角部を合わせつつ、複数の前記包装箱の向きが揃えられ、複数の前記包装箱が鉛直方向に積み上げられる
ことを特徴とする包装物品。
【発明の詳細な説明】
【技術分野】
【０００１】
本開示は、包装物品に関するものである。
【背景技術】
【０００２】
従来、段ボール箱に収容される商品の写真などを箱の外側の一面（側面）に表示する段ボール箱が開示されている（例えば、特許文献１参照）。
【先行技術文献】
【特許文献】
【０００３】
【特許文献１】登録実用新案第３１２５６２８号
【発明の概要】
【発明が解決しようとする課題】
【０００４】
従来の箱において、商品を立体的に撮影した写真を一面に表示しても立体感が乏しく、需要者の目を引くことについて改善の余地がある、という問題がある。
【０００５】
本開示は、上記問題に着目してなされたもので、需要者の目を引く包装物品を提供することを目的とする。
【課題を解決するための手段】
【０００６】
上記目的を達成するため、本開示は、第１面と、第２面と、一つの表示要素と、を有する。第２面は、第１面と隣接し、第１面と突出角を形成する。表示要素は、突出角を跨いで、第１面と第２面の両面に分けて表示される。
【発明の効果】
【０００７】
このように、一つの表示要素が突出角を跨いで、第１面と第２面の両面に分けて表示されることで、需要者の目を引くことができる。
【図面の簡単な説明】
【０００８】
【図１】実施例１の包装物品である包装箱を示す斜視図である。
【図２】実施例１の包装物品である包装箱を示す展開図である。
【図３】実施例１の包装物品である包装箱を示す展開図の部分拡大図である。
【図４】実施例１の包装物品である包装箱の陳列例を示す斜視図である。
【図５】比較例の段ボール箱を示す斜視図である。
【図６】比較例の段ボール箱を示す展開図である。
【図７】比較例の段ボール箱の陳列例を示す斜視図である。
【発明を実施するための形態】
【０００９】
以下、本開示による包装物品を実施するための形態を、図面に示す実施例１に基づいて説明する。
【実施例１】
【００１０】
図１〜図４に基づいて、実施例１の包装物品について説明する。
【００１１】
実施例１の包装物品は、図１に示すように、直方体の包装箱１（包装用箱）である。包装箱１は、無線により遠隔操作するおもちゃの自動車（以下、単に「製品」（内容物）ともいう。）を収容する。
【００１２】
包装箱１は、図２に示すように、平面１１と、底面１２と、４つの側面１３〜１６と、５つの糊代部２０と、２つの差込部２１と、を有する。４つの側面１３〜１６は、正面に相当する第１側面１３（第１面）と、背面に相当する第２側面１４と、左側面に相当する第３側面１５と、右側面に相当する第４側面１６（第２面）と、である。第１側面１３は、平面１１と底面１２と第３側面１５及び第４側面１６と連続している。平面１１と底面１２と第１側面１３と第２側面１４の第１辺１８（Ｘ方向）の長さ１８ｘは、第３側面１５と第４側面１６の第２辺１９（Ｘ方向）の長さ１９ｘよりも長く設定されている。ここで、「正面」とは、包装箱１が店頭に陳列された状態で需要者が視認可能な面である。実施例１では、後述する鉛直方向Ｖと平行な面である。
【００１３】
包装箱１は、板紙をベースに形成され、一部が透明フィルム２により形成されている。透明フィルム２は、平面１１から第１側面１３に跨っている。透明フィルム２により、包装箱１の中に収容された製品を、外部から視認することができる。包装箱１の各面１１〜１６と５つの糊代部２０と２つの差込部２１は、図２の展開図すなわち一枚の板紙（シート）から作成される。図２の板紙を折り曲げることにより、図１に示すように、各面１１〜１６が作成される。包装箱１を作成する際、第１側面１３は、第１側面１３に隣接する４つの面１１，１２，１５，１６を折り曲げることにより作成される。この折り曲げた部分が、第１側面１３と４つの面１１，１２，１５，１６との境界になる。換言すると、包装箱１を作成する際、第１側面１３は、第１側面１３に隣接する４つの面１１，１２，１５，１６と糊代部２０による糊付けが不要である。その他の面１１、１２、１４〜１６は、少なくとも１か所の糊代部２０によって隣接する面と糊付けされる。２つの差込部２１は、包装箱１を作成する際、折り曲げられ、平面１１と底面１２の間であって第２側面１４の第２表示欄１４ａの裏側に差し込まれる。
【００１４】
底面１２の第１表示欄１２ａには、製品の遠隔操作方法が表示されている。第２側面１４の第２表示欄１４ａには、製品の仕様や注意事項などが表示されている。第１側面１３と第４側面１６には、製品の正面斜視の写真３（表示要素）が一つ表示されている。
【００１５】
写真３は、突出角１７（第１側面１３と第４側面１６の境界）を跨いで、第１側面１３と第４側面１６の両面に分けて表示されている。ここで、突出角１７は、板紙を折り曲げたときに、第１側面１３と第４側面１６により形成される。このため、突出角１７は、板紙を折り曲げたときの折れ線に相当する。換言すると、突出角１７は、包装箱１の製品が収容される製品収容空間（内側、製品側）から外方（外側）に突出した角である。突出角１７の角度は、包装箱１が直方体であるので、第１側面１３と第４側面１６の二つの面のなす内角が９０度である。
【００１６】
第１側面１３と第４側面１６に表示される一つの写真３の幅の長さは、第４側面１６よりも第１側面１３の方が長く設定されている。具体的には、図３に示すように、第１側面１３に表示される写真３の幅の第１長さ３１と第４側面１６に表示される写真３の幅の第２長さ３２の比率は、６：４に設定されている。
【００１７】
このように作成された包装箱１が店頭に陳列される際、図４に示すように、包装箱１の突出角１７を角番地１００の角部１０１に合わせる。更に、その際、複数の包装箱１の向きが揃えられる。更に、複数の包装箱１が鉛直方向Ｖに積み上げられる。これにより、鉛直方向Ｖに製品の写真３が並ぶ。ここで、「角番地」とは、所定の区画内に多種の製品を陳列する際に、その区画の角部（端）の位置をいう。「包装箱１の突出角１７を角番地１００の角部１０１に合わせる」とは、図４に示すように、突出角１７と角部１０１の完全一致に限られない。例えば、図４では、角部１０１を形成する二面１０２，１０３と、第１側面１３と第４側面１６と、が平行であれば良い。要するに、包装箱１の突出角１７が角番地１００の角部１０１を向いて配置されていれば良い。
【００１８】
次に、実施例１の作用を、「比較例の段ボール箱による表示とその課題について」と「包装箱１の作用」に分けて説明する。
【００１９】
図５〜図７に基づいて、比較例の段ボール箱による表示とその課題について説明する。
【００２０】
従来、段ボール箱に収容される商品の写真などを箱の外側の一面に表示する段ボール箱が開示されている（登録実用新案第３１２５６２８号参照）。例えば、従来のような直方体の箱において、実施例１と同様の商品を箱に収容する場合、図５及び図６に示すように、箱の正面に商品の正面斜視の写真を表示し、箱の右側面に商品の側面の写真を表示する。このとき、従来の箱において、商品を立体的に撮影した写真を一面に表示しても立体感が乏しく（図５及び図６参照）、需要者の目を引くことについて改善の余地がある。
【００２１】
包装箱１の作用について説明する。
【００２２】
本開示は、上記比較例の場合、需要者の目を引くことについて改善の余地がある、という課題に着目した。
【００２３】
これに対し、実施例１では、写真３は、突出角１７を跨いで、第１側面１３と第４側面１６の両面に分けて表示されている。即ち、写真３が突出角１７を跨ぐことにより、需要者には、写真３に対する奥行き感を与えると共に、写真３の製品が包装箱１から飛び出してくる印象を与えることができる。このため、比較例よりも、需要者に対する視覚的効果を高めることができる。この結果、需要者の目を引くことができる。
【００２４】
実施例１では、第１側面１３と第４側面１６は、一枚の板紙を折り曲げることにより形成されている。突出角１７は、板紙を折り曲げたときの折れ線である。即ち、写真３を印刷する際に、写真３を分割してなくて良いので、写真３の加工が不要となる。しかも、第１側面１３と第４側面１６の境界は折れ線であるから、写真３の位置合わせが不要である。このため、写真３にずれが生じない。なお、写真３がずれてしまうと、期待される奥行き感を需要者に与えることができない。更に、折れ線を突出角１７にするので、突出角１７を容易に形成できる。従って、写真３が突出角１７でずれることがなく、需要者の目を引くことができる包装箱１を容易に作成できる。
【００２５】
実施例１では、第１側面１３を正面とし、第４側面１６を右側面とするとき、写真３の幅の長さは、第４側面１６よりも第１側面１３の方が長く設定されている。即ち、包装箱１の正面により、収容された製品を需要者に視認可能とすることができる。更に、包装箱１の正面と右側面により、写真３に対する奥行き感を需要者に与えることができる。従って、包装箱１の正面により製品の写真３を需要者に視認可能とし、包装箱１の正面と側面により需要者の目を引くことができる。
【００２６】
実施例１では、第１側面１３に表示される写真３の幅の第１長さ３１と第４側面１６に表示される写真３の幅の第２長さ３２の比率は、６：４に設定されている。即ち、包装箱１の正面に製品の写真３の６割が表示されるので、収容された製品を需要者に視認させることができる。更に、包装箱１の右側面に製品の写真３の４割が表示されるので、包装箱１の正面と右側面により、写真３に対する奥行き感を需要者に与えることができる。従って、包装箱１の正面により需要者に対する製品の視認性を確保しつつ、包装箱１の正面と側面により需要者の目を引くことができる。
【００２７】
実施例１では、突出角１７と交差する第１側面１３の第１辺１８（Ｘ方向）の長さ１８ｘは、突出角１７と交差する第４側面１６の第２辺１９の長さ１９ｘよりも長く設定されている。即ち、突出角１７に交差する辺の長さが第４側面１６よりも長い第１側面１３において写真３の幅の長さを第４側面１６よりも長く設定すると、辺の長さが作用して写真３の幅の長さがより強調される。このため、需要者に与える奥行き感を強調することができる。従って、突出角１７に交差する辺の長さがより長い面に写真３の幅の長さを長く設定することよって、有効に需要者の目を引くことができる。
【００２８】
実施例１では、複数の包装箱１が店頭に陳列される際、包装箱１の突出角１７と角番地１００の角部１０１を合わせつつ、複数の包装箱１の向きが揃えられ、複数の包装箱１が鉛直方向Ｖに積み上げられる。例えば、比較例の段ボール箱が店頭に陳列される際、図７に示すように、実施例１と同様に複数の段ボール箱が鉛直方向に積み上げられても、単に一面に商品の写真が表示されているにすぎず、需要者の目を引くことについて改善の余地がある。これに対し、実施例１では、複数の包装箱１が店頭に陳列される際、複数の写真３が需要者に視認される。そして、複数の写真３が鉛直方向Ｖに並んでいるので、複数の写真３の相乗効果により、複数の包装箱１から複数の製品が飛び出してくる印象を需要者に与えることができる。このため、需要者に対する視覚的効果をより有効に高めることができる。従って、複数の包装箱１が店頭に陳列される際、より有効に需要者の目を引くことができ、需要喚起を促すことができる。
【００２９】
以上説明したように、実施例１の包装物品にあっては、下記に列挙する効果が得られる。
【００３０】
(1) 第１面（第１側面１３）と、第２面（第４側面１６）と、一つの表示要素（写真３）と、を有する（図１及び図２）。第２面（第４側面１６）は、第１面（第１側面１３）と隣接し、第１面（第１側面１３）と突出角１７を形成する。一つの表示要素（写真３）は、突出角１７を跨いで、第１面（第１側面１３）と第２面（第４側面１６）の両面に分けて表示される（図１）。
【００３１】
このため、需要者の目を引くことができる。
【００３２】
(2) 第１面（第１側面１３）と第２面（第４側面１６）は、一枚のシート（板紙）を折り曲げることにより形成される。突出角１７は、シート（板紙）を折り曲げたときの折れ線である（図１及び図２）。
【００３３】
このため、写真３が突出角１７でずれることがなく、需需要者の目を引くことができる包装箱１を容易に作成できる。
【００３４】
(3) 包装物品は、直方体の包装箱１である。第１面（第１側面１３）を正面とし、第２面（第４側面１６）を側面とするとき、表示要素（写真３）の幅の長さは、第２面（第４側面１６）よりも第１面（第１側面１３）の方が長く設定される（図２及び図３）。
【００３５】
このため、包装箱１の正面により製品の写真３を需要者に視認可能とし、包装箱１の正面と側面により需要者の目を引くことができる。
【００３６】
(4) 突出角１７と交差する第１面（第１側面１３）の第１辺１８の長さ１８ｘは、突出角１７と交差する第２面（第４側面１６）の第２辺１９の長さ１９ｘよりも長く設定される（図２）。
【００３７】
このため、突出角１７に交差する辺の長さがより長い面に写真３の幅の長さを長く設定することよって、有効に需要者の目を引くことができる。
【００３８】
(5) 複数の包装箱１が店頭に陳列される際、包装箱１の突出角１７と角番地１００の角部１０１を合わせつつ、複数の包装箱１の向きが揃えられ、複数の包装箱１が鉛直方向Ｖに積み上げられる（図４）。
【００３９】
このため、複数の包装箱１が店頭に陳列される際、より有効に需要者の目を引くことができ、需要喚起を促すことができる。
【００４０】
以上、本開示の包装物品を実施例１に基づき説明してきたが、具体的な構成については、この実施例に限られるものではなく、特許請求の範囲の各請求項に係る発明の要旨を逸脱しない限り、設計の変更や追加等は許容される。
【００４１】
実施例１では、表示要素を写真３とする例を示した。しかし、これに限られない。例えば、表示要素としては、コンピュータグラフィックスにより作成された画像であっても良いし、絵などでも良い。要するに、表示要素は、包装される物を表す要素であれば良い。このように構成しても、上記(1)〜(5)の効果を得ることができる。
【００４２】
実施例１では、突出角１７は、板紙を折り曲げたときの折れ線である例を示した。しかし、これに限られない。即ち、第１面と第２面が隣接し、第１面と第２面により突出角が形成されれば良い。このため、第１面と第２面が糊代部により貼り合わせられて突出角が形成されても良い。このように構成しても、少なくとも上記(1)の効果を得ることができる。
【００４３】
実施例１では、突出角１７は、第１側面１３と第４側面１６の二つの面のなす内角が９０度である例を示した。しかし、これに限られない。例えば、突出角は第１面と第２面の二つの面のなす内角が６０度や１２０度などであっても良い。要するに、突出角は第１面と第２面の二つの面のなす内角が１８０未満であれば良い。換言すると、突出角は、包装物品の製品側から外側に突出した角であれば良い。
であれば良い。このように構成しても、上記(1)〜(2)の効果を得ることができる。
【００４４】
実施例１では、包装箱１を直方体とする例を示した。しかし、これに限られない。ここで、直方体には、立方体を含む。このため、例えば、包装箱を立方体としても良い。このように構成しても、上記(1)〜(3)及び(5)の効果を得ることができる。
【００４５】
実施例１では、第１側面１３に表示される写真３の幅の第１長さ３１と第４側面１６に表示される写真３の幅の第２長さ３２の比率を、６：４に設定する例を示した。しかし、これに限られない。例えば、第１長さと第２長さの比率を、５：５に設定しても良い。このように構成しても、少なくとも上記(1)〜(2)の効果を得ることができる。また、第１長さと第２長さの比率を、７：３などに設定しても良い。このように構成しても、少なくとも上記(1)〜(3)及び(5)の効果を得ることができる。
【００４６】
実施例１では、突出角１７に交差する辺の長さが第４側面１６よりも長い第１側面１３において写真３の幅の長さを第４側面１６よりも長く設定する例を示した。しかし、これに限られない。例えば、突出角１７に交差する辺の長さが第２面よりも長い第１面において表示要素の幅の長さを第２面よりも短く設定しても良い。このように構成しても、少なくとも上記(1)〜(3)及び(5)の効果を得ることができる。
【００４７】
実施例１では、包装物品を直方体の包装箱１とする例を示した。しかし、これに限られない。例えば、包装物品としては、多面体の包装箱や包装容器や包装用紙などであっても良い。なお、包装物品を多面体の包装箱や包装容器とする場合、必ずしも六面を有していなくても良い。例えば、平面又は底面が無く、二つの包装物品で製品が包装される場合である。このように構成しても、少なくとも上記(1)の効果を得ることができる。
【符号の説明】
【００４８】
１  包装箱（包装物品）
１３  第１側面（第１面、正面）
１６  第４側面（第２面、側面）
１７  突出角
１８  第１辺
１８ｘ  第１辺の長さ
１９  第２辺
１９ｘ  第２辺の長さ
３  写真（表示要素）
３１  第１長さ
３２  第２長さ
１００  角番地
１０１  角部
Ｖ  鉛直方向
【図１】
2019182469.tif 000003
【図２】
2019182469.tif 000004
【図３】
2019182469.tif 000005
【図４】
2019182469.tif 000006
【図５】
2019182469.tif 000007
【図６】
2019182469.tif 000008
【図７】
2019182469.tif 000009